(57)【要約】【課題】開口用タブに折曲部を設けて、タブの指起こしを容易にする。【解決手段】缶蓋パネル１１にはスコア１２が形成され、開口用タブ２０を開缶操作することによりスコアが破断されて飲み口となる。開口用タブ２０は、先端側の押下部２２と後端側の引上部２４との中間位置に固着部２３があり、缶蓋パネル１１のほぼ中央位置で固着する。開口用タブ２０の引上部２４は、押下部２２から後端側へかけて延びたＶ字状の直線辺に囲まれて形成され、押下部２２と固着部２３と引上部２４とからなるタブ本体部２１の周縁には環状の補強リブ２５を形成する。引上部２４のＶ字状の直線辺の一辺に接して狭巾の直線帯状の折曲部２６（図中、点線で示す）を設け、その折曲部２６を介して起こし部２７を設ける。起こし部２７の外縁には、曲線状の補強リブ２８を形成する。起こし部２７に指穴２９を穿設する。【選択図】図１
0003141079.tif 000002
【実用新案登録請求の範囲】
【請求項１】
缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、
引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、
前記開口用タブは、引上部が押下部から後端側へ形成された左右の直線辺でＶ字状に囲まれてなり、押下部と固着部と引上部とからなるタブ本体部の周縁に環状に補強リブを形成するとともに、前記タブ本体部のＶ字状の直線辺の一辺に接して狭巾の直線帯状の折曲部を延設し、さらにその折曲部を介して起こし部を延設し、かつ、その起こし部に指穴を設けるとともに起こし部の周縁に補強リブを形成し、前記タブ本体部の周縁の補強リブと前記起こし部の周縁の補強リブとが前記折曲部において不連続となるように形成した、ことを特徴とするステイオンタブ式缶蓋。
【請求項２】
缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、
引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、
前記開口用タブは、引上部が押下部から後端へ延びた左右直線辺でＶ字状に囲まれてなり、押下部と固着部と引上部とからなるタブ本体部の周縁に環状に補強リブを形成するとともに、前記タブ本体部のＶ字状の直線辺の一辺に接して狭巾の直線帯状の第１折曲部を延設し、さらにその第１折曲部を介して第１起こし部を延設し、かつ、その第１起こし部に指穴を設けるとともに第１起こし部の周縁に補強リブを形成し、前記タブ本体部の周縁の補強リブと前記第１起こし部の周縁の補強リブとが前記第１折曲部において連続しないように形成し、かつ、前記タブ本体部の略Ｖ字状の直線辺の他辺に接して狭巾の直線帯状の第２折曲部を延設し、さらにその第２折曲部を介して第２起こし部を延設し、かつ、その第２起こし部に指穴を設けるとともに第２起こし部の周縁に補強リブを形成し、前記タブ本体部の周縁の補強リブと前記第２起こし部の周縁の補強リブとが前記第２折曲部において連続しないように形成した、ことを特徴とするステイオンタブ式缶蓋。
【請求項３】
缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、
前記開口用タブは、押下部と固着部と引上部とからなるタブ本体部の周縁を逆Ｕ字状に形成し、このタブ本体部の逆Ｕ字状の周縁に沿ってその外側に逆Ｕ字状の空隙部を設け、この空隙部を隔ててタブ本体部の逆Ｕ字状の周縁を囲むようにこれよりやや大きい逆Ｕ字状の起こし部を設け、かつ、前記タブ本体部の引上部の後端側に、タブ本体部の横幅よりやや幅広く左右に張り出すように折返し部を設け、この折返し部から前記逆Ｕ字状の起こし部が延設されるように形成するとともに、前記タブ本体部の逆Ｕ字状の周縁に補強リブを設け、前記逆Ｕ字状の起こし部の外周縁に補強リブを設け、折返し部と起こし部の両端との境界部には補強リブを設けないようにした、ことを特徴とするステイオンタブ式缶蓋。
【考案の詳細な説明】
【技術分野】
【０００１】  本考案は、ドリンク缶のステイオンタブ方式の缶蓋の改良に関するものである。
【背景技術】
【０００２】  ステイオンタブ式缶蓋は、主にドリンク缶の缶蓋に用いられており、缶の上蓋パネル上にリベットにより固着されたタブ後端の引上部を持ち上げることによって、タブのリベット固着部が支点となり、テコの原理により、タブ先端の押下部が作用点となって押し下げられ、パネル上面に予め設けられた飲口部のスコアが破断され、破断された飲口部が缶の内側に折り込まれた状態で開口するようになっている。
このような、従来のステイオンタブ式のドリンク缶の飲口を開ける場合、タブの後端の引上部を持ち上げるためには、指先をタブ後端の引上部と上蓋パネルの間に差し入れなければならず、指の太い人や爪が長い人にとって、この作業に困難を伴うことがあった。また、指が差し入れられても、タブの後端の引上部を起こすために、指が痛くなったり、力の弱い子供や女性の場合、開け難いという問題も発生している。
そこで、この種の缶蓋のステイオンタブの構造について、種々の改良が試みられ提案されている。【０００３】  例えば、出願人は、ドリンク缶のステイオンタブと上蓋パネルの間に三角型の薄いフィルムシートを挟み込み、ステイオンタブを起こすときには、まず、三角型の薄いフイルムシートを指先で摘んで持ち上げ、タブの後端の引上部を持ち上げ、そのまま缶の開口部が開くまでタブを起こすか、もしくは、タブの後端の引上部の指穴に指が掛かる程度にタブが持ち上がったら、その指穴に指をかけてタブをさらに起こして開口部を開けるようにした「ドリンク缶らくらく蓋開けの構造」（特開平１１−１０５８６９号）や、これと同じ目的でフィルムシートを使用して缶蓋の開口部を開けるようにした「ドリンク缶らくらく蓋開け構造」（特開平１１−２７８４８４号）を開示している。
上記のような、フィルムシートをタブ起こしの補助部材として用いる方法は、タブを容易に起こし易くするという目的には適するが、従来のステイオンタブの他に、フィルムシートを別途用意しなければならず、これをタブと上蓋パネルとの間に挿入するための製造工程も増えることになり、材料コスト、製造コストが上昇するという問題があった。【０００４】  また、出願人は、指で引上部を起こしやすくするための指挿入部をタブの後端の引上部から延設し、タブの押下部の前方側に位置するように配設した「ステイオンタブらくらく蓋開けの構造」（特開２０００−１２８１６７号）を提案している。
このタブ構造では、タブ自体が大きくなり、ドリンク缶の缶蓋が小さい場合には適さないという問題があった。
【技術文献１】
特開平１１−１０５８６９号公報
【技術文献２】
特開平１１−２７８４８４号公報
【技術文献２】
特開平２０００−１２８１６７号公報
【考案の開示】
【考案が解決しようとする課題】
【０００４】  本考案は、上述のような問題に鑑みてなされたもので、フィルムシートなどの他のパーツを使用することなく、タブ自体の構造を改良することにより、タブの指起こしを容易にしたステイオンタブ方式のドリンク缶の缶蓋を提供することを目的とする。
【課題を解決するための手段】
【０００７】  上記の課題を解決するの、本考案の請求項１に記載のステイオンタブ方式の缶蓋は、缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、前記開口用タブは、引上部が押下部から後端側へ形成された左右の直線辺でＶ字状に囲まれてなり、押下部と固着部と引上部とからなるタブ本体部の周縁に環状に補強リブを形成するとともに、前記タブ本体部のＶ字状の直線辺の一辺に接して狭巾の直線帯状の折曲部を延設し、さらにその折曲部を介して起こし部を延設し、かつ、その起こし部に指穴を設けるとともに起こし部の周縁に補強リブを形成し、前記タブ本体部の周縁の補強リブと前記起こし部の周縁の補強リブとが前記折曲部において不連続となるように形成したことを特徴とする。
本考案のステイオンタブ式缶蓋は上記のように構成したことにより、起こし部を指で起こすと、起こし部とタブ本体の周縁の補強リブとの境界にある折曲部は容易に折り曲がって起こし部が起立し、起立した起こし部の指穴に指を掛けて上方に引っ張ることにより、容易に引上部が引上げられて缶蓋パネルの開口部が開口するという作用効果を奏する。【０００８】  また、請求項２に記載のステイオンタブ方式の缶蓋は、缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、前記開口用タブは、引上部が押下部から後端へ延びた左右直線辺でＶ字状に囲まれてなり、押下部と固着部と引上部とからなるタブ本体部の周縁に環状に補強リブを形成するとともに、前記タブ本体部のＶ字状の直線辺の一辺に接して狭巾の直線帯状の第１折曲部を延設し、さらにその第１折曲部を介して第１起こし部を延設し、かつ、その第１起こし部に指穴を設けるとともに第１起こし部の周縁に補強リブを形成し、前記タブ本体部の周縁の補強リブと前記第１起こし部の周縁の補強リブとが前記第１折曲部において連続しないように形成し、かつ、前記タブ本体部の略Ｖ字状の直線辺の他辺に接して狭巾の直線帯状の第２折曲部を延設し、さらにその第２折曲部を介して第２起こし部を延設し、かつ、その第２起こし部に指穴を設けるとともに第２起こし部の周縁に補強リブを形成し、前記タブ本体部の周縁の補強リブと前記第２起こし部の周縁の補強リブとが前記第２折曲部において連続しないように形成したことを特徴とする。
本考案のステイオンタブ式缶蓋は上記のように構成したことにより、第１起こし部（又は第２起こし部）を指で起こすと、第１起こし部（又は第２起こし部）とタブ本体の周縁の補強リブとの境界にある第１折曲部（又は第２折曲げ部）は容易に折り曲がって第１起こし部及び第２起こし部が起立し、起立した第１起こし部及び第２起こし部の指穴に指を掛けて上方に引っ張ることにより、容易に引上部が引上げられて缶蓋パネルの開口部が開口するという作用効果を奏する。【０００９】  また、請求項３に記載のステイオンタブ方式の缶蓋は、缶蓋パネルに開缶操作によって開口される開口部が設けられるとともに、該開口部を開口するための開口用タブが取り付けられ、前記開口部に輪郭の一部が開口時に破断されるスコアが形成され、前記開口用タブは、その先端側に前記開口部を押し下げて開口させる押下部と、同後端側に前記缶蓋パネルから引き上げられる引上部と、押下部と引上部の中間位置に缶蓋パネルに固着される固着部とを備えてなり、引上部を指で缶蓋パネルから起こす開缶操作によって、梃の原理により固着点が支点となり、かつ押下部が作用点となって缶蓋パネルの開口部を押下げてスコアを破断して開口するように形成されたステイオンタブ式の缶蓋において、前記開口用タブは、押下部と固着部と引上部とからなるタブ本体部の周縁を逆Ｕ字状に形成し、このタブ本体部の逆Ｕ字状の周縁に沿ってその外側に逆Ｕ字状の空隙部を設け、この空隙部を隔ててタブ本体部の逆Ｕ字状の周縁を囲むようにこれよりやや大きい逆Ｕ字状の起こし部を設け、かつ、前記タブ本体部の引上部の後端側に、タブ本体部の横幅よりやや幅広く左右に張り出すように折返し部を設け、この折返し部から前記逆Ｕ字状の起こし部が延設されるように形成するとともに、前記タブ本体部の逆Ｕ字状の周縁に補強リブを設け、
前記逆Ｕ字状の起こし部の外周縁に補強リブを設け、折返し部と起こし部の両端との境界部には補強リブを設けないようにしたことを特徴とする。
本考案のステイオンタブ式缶蓋は上記のように構成したことにより、起こし部を指で起こすと、起こし部と折返し部との境界にある折曲部は容易に折り曲がって起こし部が起立し、起立した起こし部に指を掛けて上方に引っ張ることにより、容易に引上部が引上げられて缶蓋パネルの開口部が開口するという作用効果を奏する。
【考案の効果】
【００１０】  本考案のステイオンタブ方式の缶蓋の開口用タブは、起こし部を指で起こすと、補強リブを設けてない折曲部が容易に折り曲がって、起こし部が起立し、起立した起こし部の指穴に指を掛けて上方に引っ張ることにより、引上部が引上げられ、極めて容易に缶蓋パネルの開口部を開口することができる。
また、起こし部を指で起こすと、補強リブを設けてない折曲部が容易に折り曲がって、起こし部が起立し、起立した起こし部に指を掛けて上方に引っ張ることにより、引上部が引上げられ、極めて容易に缶蓋パネルの開口部を開口することができる。
【考案を実施するための最良の形態】
【００１１】  本考案の実施の形態を、図を用いて説明する。図１は、本考案の請求項１記載のステイオンタブ方式の缶蓋を上方から見た平面図である。図１に示すように、ドリンク缶１０の上面の缶蓋パネル１１に開口用タブ２０が取り付けられている。缶蓋パネル１１にはスコア１２が形成され、開口用タブ２０を開缶操作することによりスコアが破断されて飲み口となる開口部１３が設けられている。開口用タブ２０は、先端側の押下部２２と後端側の引上部２４との中間位置に固着部２３があり、その固着部２３が缶蓋パネル１１のほぼ中央位置で固着されている。開口用タブ２０の引上部２４は、押下部２２から後端側へかけて延びたＶ字状の直線辺に囲まれて形成され、押下部２２と固着部２３と引上部２４とからなるタブ本体部２１の周縁には環状のリブ２５が形成されている。引上部２４のＶ字状の直線辺の一辺に接して狭巾の直線帯状の折曲部２６（図中、点線で示す）が設けられ、さらにその折曲部２６を介して起こし部２７が設けられている。起こし部２７の外縁には、連続線状のリブ２８が形成されている。また、起こし部２７には指穴２９が穿設されている。【００１２】  開口用タブ２０は、スチール又はアルミニウム等の金属の薄い一枚板をプレス加工により成型したものである。タブ本体部２１の周縁のリブ２５と、起こし部２７の外縁のリブ２８は、上面側に凸状に突出した補強リブであるが、タブの外縁端部に形成されるリブは、外縁端部を上面側又は下面側に折曲げて二重にした形態の補強リブを形成してもよい。タブ本体部２１の周縁のリブ２５は、タブ本体の外周を囲む環状に形成され、起こし部２７の外縁のリブ２８は、起こし部２７の外周を囲む曲線状に形成され、このリブ２８はタブ本体部と２１と起こし部２７との境界にある狭巾の折曲部２６において途切れるように形成されている。【００１３】  上記のように構成されたドリンク缶の缶蓋の飲み口を開口するときは、起こし部２７と缶蓋パネルとの隙間に指を差し入れ、起こし部２７を上方に起こすと、開口用タブ２０は折曲部２６で折り曲がって、指先の軽い力で起こし部２７が容易に起き上がる。そこで、起こし部の指穴２９に指を差し入れ又は２本の指で指穴２９を摘んで上方に引上げると、引上部２４が上方に引上げられ、固着部２３が支点となって、梃の原理により、押下部２２が開口部１３を押下げ、スコア１２が破断されて開口部１３が缶内部に押し込まれ、飲み口が開口する。本考案の特徴は、開口用タブ２０のタブ本体部２１の周縁と起こし部２７の外周にそれぞれ補強用のタブを形成したことにより、タブを形成した部分の強度が補強され、タブを設けていない折曲部２６が容易に折り曲がることにより、指で起こし部２７を僅かな力で極めて容易に起こすことができる点にある。
なお、図１における本実施例では、起こし部２７はタブ本体部２１の右側に位置しているが、開口用タブ２０の形状を図１に示したものと左右対称の形状として、起こし部２７をタブ本体部２１の左側に位置させるように形成してもよい。また、指穴２９の形状は略三角形であるが、この形状に限定されるものではない。タブ本体部２１に対する起こし部２７の位置や指穴２９の形状によって、左利き用又は右利き用に特化した開口用タブ２０を製造することも可能となる。また、本考案の缶蓋の構造によれば、僅かな力で簡単に開口することができるので、片手で開缶操作することも可能となる。【００１４】  図２（Ａ）は本発明の請求項２記載のステイオンタブ方式の缶蓋を上方から見た平面図であり、図２（Ｂ）はドリンク缶全体を斜め上方から見た斜視図である。図２（Ａ）及び（Ｂ）に示すように、ドリンク缶１０の上面の缶蓋パネル１１に開口用タブ２０が取り付けられている。缶蓋パネル１１にはスコア１２が形成され、開口用タブ２０を開缶操作することによりスコアが破断されて飲み口となる開口部１３が設けられている。開口用タブ２０は、先端側の押下部２２と後端側の引上部２４との中間位置に固着部２３があり、その固着部２３が缶蓋パネル１１のほぼ中央位置で固着されている。開口用タブ２０の引上部２４は、押下部２２から後端側へかけて延びたＶ字状の直線辺に囲まれて形成され、押下部２２と固着部２３と引上部２４とからなるタブ本体部２１の周縁には環状のリブ２５が形成されている。
引上部２４のＶ字状の直線辺の一辺に接して狭巾の直線帯状の第１折曲部２６ａ（図中に点線で示す）が設けられ、この第１折曲部２６ａを介して第１起こし部２７ａが設けられている。第１起こし部２７ａの外縁には、連続曲線状のリブ２８ａが形成されている。また、第１起こし部２７ａには指穴２９ａが穿設されている。
また、引上部２４のＶ字状の直線辺の他辺に接して狭巾の直線帯状の第２折曲部２６ｂ（図中に点線で示す）が設けられ、この第２折曲部２６ｂを介して第２起こし部２７ｂが設けられている。第２起こし部２７ｂの外縁には、連続曲線状のリブ２８ｂが形成されている。また、第２起こし部２７ｂには指穴２９ｂが穿設されている。【００１５】  開口用タブ２０は、スチール又はアルミニウム等の金属の薄い一枚板をプレス加工により成型したものである。タブ本体部２１の周縁のリブ２５と、第１起こし部２７ａの外縁のリブ２８ａと、第２起こし部２７ｂの外縁のリブ２８ｂとは、上面側に凸状に突出した補強リブであるが、タブの外縁端部に形成されるリブは、外縁端部を上面側又は下面側に折曲げて二重にした形態の補強リブを形成してもよい。タブ本体部２１の周縁のリブ２５は、タブ本体の外周を囲む環状に形成され、第１起こし部２７ａの外縁のリブ２８ａは、第１起こし部２７ａの外周を囲む曲線状に形成され、このリブ２８ａはタブ本体部２１と第１起こし部２７ａとの境界にある狭巾の折曲部２６ａにおいて途切れるように形成されている。また、第２起こし部２７ｂの外縁のリブ２８ｂは、第２起こし部２７ｂの外周を囲む曲線状に形成され、このリブ２８ａはタブ本体部２１と第１起こし部２７ａとの境界にある狭巾の折曲部２６ｂにおいて途切れるように形成されている。【００１６】  上記のように構成されたドリンク缶の缶蓋の飲み口を開口するときは、第１起こし部２７ａと缶蓋パネルとの隙間に指を差し入れ、第１起こし部２７ａを上方に起こすと、開口用タブ２０は折曲部２６ａで折り曲がって、指先の軽い力で第１起こし部２７ａが容易に起き上がる。また、第２起こし部２７ｂと缶蓋パネルとの隙間に指を差し入れ、第２起こし部２７ｂを上方に起こすと、開口用タブ２０は折曲部２６ｂで折り曲がって、指先の軽い力で第２起こし部２７ｂが容易に起き上がる。こうして起き上がった第１起こし部２７ａと第２起こし部２７ｂとを２本の指で指穴２９ａ，２９ｂを摘んで上方に引上げると、引上部２４が上方に引上げられ、固着部２３が支点となって、梃の原理により、押下部２２が開口部１３を押下げ、スコア１２が破断されて開口部１３が缶内部に押し込まれ、飲み口が開口する。
本考案の特徴は、開口用タブ２０のタブ本体部２１の周縁と第１起こし部２７ａと第２起こし部２７ｂの外周にそれぞれ補強用のタブを形成したことにより、タブを形成した部分の強度が補強され、タブを設けていない第１折曲部２６ａ及び第２折曲部２６ｂが容易に折り曲がることにより、指で第１起こし部２７ａと第２起こし部２７ｂを僅かな力で極めて容易に起こすことができる点にある。【００１７】  図３は、本考案の請求項３記載のステイオンタブ方式の缶蓋を上方から見た平面図である。図３に示すように、ドリンク缶１０の上面の缶蓋パネル１１に開口用タブ２０が取り付けられている。缶蓋パネル１１にはスコア１２が形成され、開口用タブ２０を開缶操作することによりスコアが破断されて飲み口となる開口部１３が設けられている。
開口用タブ２０は、押下部２２と固着部２３と引上部２４とからなるタブ本体部２１の周縁が逆Ｕ字状に形成され、押下部２２と引上部２４との中間位置に固着部２３があり、この固着部２３が缶蓋パネル１１のほぼ中央位置で固着されている。タブ本体部２１の逆Ｕ字状の周縁には曲線状の補強リブ２５が設けられている。
タブ本体部２１の逆Ｕ字状の周縁に沿ってその外側に逆Ｕ字状の空隙部３１が形成され、この空隙部３１を隔てて前記タブ本体部２１の周縁を囲むようにこれよりやや大きい逆Ｕ字状の起こし部２７が形成され、この逆Ｕ字状の起こし部２７の外周縁に逆Ｕ字状の補強リブ３８が設けられている。
引上部２４の後端側に、引上部２４の横幅よりやや幅広く左右に張り出して折返し部３２が延設され、逆Ｕ字状の起こし部２７の両端がこの折返し部３２から延設され、空隙部３１を隔ててタブ本体部２１の周縁を囲むように起こし部３７が設けられている。
折返し部３２の外縁には補強リブ３９が設けられている。また、折返し部３２と起こし部３７の両端部との境界部にはそれぞれ狭巾の折曲部３６ａ，３６ｂ（図中に点線で示す）が設けられている。【００１８】  開口用タブ２０は、スチール又はアルミニウム等の金属の薄い一枚板をプレス加工により成型したものである。タブ本体部２１の周縁のリブ２５と、起こし部３７の外縁のリブ３８と、折返し部３２の外縁のリブ３９は、上面側に凸状に突出した補強リブであるが、タブの外縁端部に形成されるリブは、外縁端部を上面側又は下面側に折曲げて二重にした形態の補強リブを形成してもよい。
タブ本体部２１の周縁のリブ２５は、タブ本体の外周を囲むが逆Ｕ字状に形成され、起こし部３７の外縁のリブ３８は、起こし部３７の外周を囲む逆Ｕ字状に形成され、折返し部３２の外縁のリブ３９は開口用タブの後端側に直線状に形成され、リブ３８とリブ３９は折返し部３２と起こし部３７との境界部にある狭巾の折曲部３６ａ，３６ｂにおいて途切れるように形成されている。【００１９】  上記のように構成されたドリンク缶の缶蓋の飲み口を開口するときは、起こし部３７と缶蓋パネルとの隙間に指を差し入れ、起こし部３７を上方に起こすと、折曲部３６ａ，３６ｂで折り曲がって、指先の軽い力で起こし部３７が容易に起き上がる。そこで、起こし部３７の内縁側に指を差し入れ又は２本の指で起こし部３７を摘んで上方に引上げると、引上部２４が上方に引上げられ、固着部２３が支点となって、梃の原理により、押下部２２が開口部１３を押下げ、スコア１２が破断されて開口部１３が缶内部に押し込まれ、飲み口が開口する。
本考案の特徴は、開口用タブ２０のタブ本体部２１の周縁と起こし部３７と折返し部３２の外周にそれぞれ補強用のタブを形成したことにより、タブを形成した部分の強度が補強され、タブを設けていない折曲部３６ａ，３６ｂが容易に折り曲がることにより、指で起こし部３７を僅かな力で極めて容易に起こすことができる点にある。【００２０】  以上に説明したように、本考案の請求項１〜３記載の各開口用タブは、折曲部の補強リブを設けないことにより容易に折り曲げることができるように構成したものであるが、タブの材質や厚みによっては、折曲部に弱化線（サブスコア）を施して、さらに折り曲がりやすくしてもよい。
【図面の簡単な説明】
【００２１】
【図１】請求項１記載のステイオンタブ方式の缶蓋を上方から見た平面図である。
【図２】（Ａ）は請求項２記載のステイオンタブ方式の缶蓋を上方から見た平面図である。（Ｂ）はドリンク缶全体を斜め上方から見た斜視図である。
【図３】請求項３記載のステイオンタブ方式の缶蓋を上方から見た平面図である。
【符号の説明】
【００２２】  １０  ドリンク缶
１１  缶蓋パネル
１２  スコア
１３  開口部
２０  開口用タブ
２１  タブ本体部
２２  押下部
２３  固着部
２４  引上部
２５  補強リブ
２６  折曲部
２６ａ  第１折曲部
２６ｂ  第２折曲部
２７  起こし部
２７ａ  第１起こし部
２７ｂ  第２起こし部
２８，２８ａ，２８ｂ  補強リブ
２９，２９ａ，２９ｂ  指穴
３１  空隙部
３２  折返し部
３６ａ，３６ｂ  折曲部
３７  起こし部
３８  補強リブ
３９  補強リブ
【図１】
0003141079.tif 000003
【図２】
0003141079.tif 000004
【図３】
0003141079.tif 000005